(57)【要約】【課題】接続時に芯が交差することを防ぐことができるコネクタを提供する。【解決手段】本体と、ゴム芯とを含んでなり、本体は、下表面母座内の電気接触ヘッドを挿入するために供する八つの挿入溝を平行に設けてなり、ゴム芯は、本体の内部に固定し、インターネットケーブルの八本の芯にそれぞれ対応するはんだ接続式の端子を含んでなり、該端子はゴム芯に挿設し、端子の第一端が端子と母座の電気接触ヘッドとを電気的に接続するために供する電気接触部であって、該電気接触部が一列に排列し、端子の第二端がインターネットケーブルの八本の芯をそれぞれ端子にはんだ接続するために供するはんだ接続部であって、ゴム芯上には端子のはんだ接続部を穿設する貫通孔が設けられ、該貫通孔はゴム芯の前方側面から後方側面へ貫通し、芯の二つの端子のはんだ接続部が隣接して排列して設けられる。【選択図】図１
2013093098.tif 000002
【特許請求の範囲】
【請求項１】
本体と、ゴム芯とを含んでなり、
該本体は、下表面母座内の電気接触ヘッドを挿入するために供する八つの挿入溝を平行に設けてなり、
該ゴム芯は、本体の内部に固定し、インターネットケーブルの八本の芯にそれぞれ対応するはんだ接続式の端子を含んでなり、該端子はゴム芯に挿設し、端子の第一端が端子と母座の電気接触ヘッドとを電気的に接続するために供する電気接触部であって、該電気接触部が一列に排列し、端子の第二端がインターネットケーブルの八本の芯をそれぞれ端子にはんだ接続するために供するはんだ接続部であって、
ゴム芯上には端子のはんだ接続部を穿設する貫通孔が設けられ、該貫通孔はゴム芯の前方側面から後方側面へ貫通し、芯の二つの端子のはんだ接続部が隣接して排列して設けられることを特徴とするコネクタ。
【請求項２】
前記貫通孔が、縦向きに上下二列に、横向きに四列に排列し、端子のはんだ接続部はゴム芯の貫通孔に穿設した後、ゴム芯の後方部にケーブルの八本の芯が平行に排列し、対応する端子のはんだ接続部にはんだ接続して排列され、端子のはんだ接続部が二段四列に排列し、芯に設けられたどれか一つの端子のはんだ接続部を選択してゴム芯の二段の貫通孔の上段か、或いは下段に穿設することを特徴とする請求項１に記載のコネクタ。
【請求項３】
前記端子が、Ｃ字を呈し、端子の電気接触部とはんだ接続部が平行に設けられ、端子のはんだ接続部が電気接触部を離れて設ける必要だけ端子の中部に湾曲部を設けてなることを特徴とする請求項２に記載のコネクタ。
【請求項４】
前記ゴム芯が、下表面に本体の挿入溝に対応する設置溝が設けられ、端子の電気接触部が該設置溝内に設けられ、
ゴム芯の前端面に下表面の設置溝に対応し、端子の中部を設けるために供する前方設置溝を設けてなり、前方設置溝が対応する設置溝に貫通して形成され、該前方設置溝が対応する貫通孔に貫通して形成されることを特徴とする請求項３に記載のコネクタ。
【請求項５】
前記ゴム芯が、前端面の前方設置溝に長手方向の左から右へ第一前方設置溝、第二前方設置溝、第三前方設置溝、第四前方設置溝、第五前方設置溝、第六前方設置溝、第七前方設置溝、第八前方設置溝がそれぞれ排列して設けられ、第一前方設置溝の底部と第二前方設置溝底部とが連接し、第三前方設置溝の中部、底部がそれぞれ第四前方設置溝の中部、底部に連接し、第五前方設置溝の中部、底部がそれぞれ第六前方設置溝の中部、底部と連接し、第七前方設置溝の底部と第八前方設置溝の底部と連接することを特徴とする請求項４に記載のコネクタ。
【請求項６】
前記コネクタが、内金属鉄ケースと、外金属鉄ケースとを含んでなり、
該内金属鉄ケースの前端部がゴム芯の外側に接続され、内金属鉄ケースの後端がリベット接続加工を通してインターネットケーブルを内金属鉄ケース上の後方に固定し、内金属が本体内に組み合わせて固定され、
外金属の前端部は本体に固定され、外金属鉄ケースが本体後端部に連接され、
端子の電気接触部は挿入溝内に挿設するか、或いは挿入溝以外の位置に平行に設けられ、
本体の上表面には、弾性片が設けられる。該弾性片の両側にはそれぞれインターネットケーブル用のコネクタを母座から外すために供するフックを成型することを特徴とする請求項５に記載のコネクタ。
【請求項７】
前記コネクタが、インターネットケーブルの第一端と第二端にそれぞれ接続し、
該インターネットケーブルの第一端に接続するコネクタは、第一コネクタであって、第二端に接続するコネクタは第二コネクタで、
第一コネクタをインターネット接続協定に基づいて接続する場合、交差するインターネットケーブルの芯が二つの端子のはんだ接続部が副コネクタ上の互いに対応する二つの端子のはんだ接続部に対応して配列する位置がそれぞれ上下に対応して設けられることを特徴とする請求項１から６に記載のコネクタ。
【請求項８】
前記第一コネクタが、インターネット接続協定に基づいて接続する場合、交差したインターネットケーブルの芯の端子のはんだ接続部をゴム芯の二段の貫通孔の内、上段の貫通孔に穿設し、第二コネクタをインターネット接続協定に基づいて接続する場合、交差するインターネットコードの芯に対する端子のはんだ接続部をゴム芯に設けられた二段の貫通孔の内、同一列の下段の貫通孔に穿設することを特徴とする請求項７に記載のコネクタ。
【請求項９】
前記インターネットケーブルの第一端が、第一コネクタに接続し、第二端が第二コネクタに接続することを特徴とする請求項７及び８に記載のコネクタ。
【請求項１０】
前記第一コネクタに設けられた八つの端子が、電気接触部に基づいて左から右へ第一、第二、第三、第四、第五、第六、第七、第八端子の順に配列し、第一コネクタの第二、第四、第五、第七端子のはんだ接続部が左から右へゴム芯の二段の貫通孔の上段の貫通孔に穿設し、第一コネクタの第一、第三、第六、第八端子のはんだ接続部が左から右へゴム芯の二段の貫通孔の下段の貫通孔に穿設し、
第一コネクタの第一、第二、第三、第四、第五、第六、第七、第八端子をそれぞれインターネットケーブルの第一端のオレンジ・白色、オレンジ色、緑・白色、青色、青・白色、緑色、茶・白色、茶色の芯に対応して接続し、
第二コネクタの八つの端子を電気接触部の左から右へ第一、第二、第三、第四、第五、第六、第七、第八の順に配列し、第二、第三、第六、第七端子のはんだ接続部をゴム芯の二段の貫通孔の内の上段の貫通孔に左から右へ順に穿設し、第二コネクタの第一、第四、第五、第八端子のはんだ接続部を左から右へゴム芯の二段の貫通孔の下段の貫通孔に接続し、
第二コネクタの第一、第二、第三、第四、第五、第六、第七、第八端子をそれぞれインターネットケーブルの第二端のオレンジ・白色、オレンジ色、緑・白色、青色、青・白色、緑色、茶・白色、茶色の芯に対応して接続することを特徴とするコネクタ。
【発明の詳細な説明】
【技術分野】
【０００１】
この発明は、コネクタに関し、特にインターネット用のケーブルなどを接続するために供するコネクタに関する。
【背景技術】
【０００２】
現在、市場で販売されているコネクタは、ピンを差し込むタイプである。
【０００３】
インターネット用ケーブルのコネクタは、本体と、配線パッドと、穿設パッドと、内金属鉄ケースと、外金属鉄ケースとを含んでなる。
【０００４】
インターネットケーブルの八本の芯はそれぞれ穿設パッド上の貫通孔に穿設される。
【０００５】
穿設パッドは芯を位置決めするとともに、八本の芯が位置決めされ、接続位置に対応して分配される。
【０００６】
芯の前方端が配線パッド上の溝に挿入される。配線パッドは八本の芯を固定するために供し、八本の芯が一列に排列される。
【０００７】
本体は、表面に八つの挿入溝を設けてなる。該挿入溝は、内部に接触片を挿設する。
【０００８】
インターネットケーブルのコネクタを組み立てる場合、挟持部材で接触片を本体内部に押し込み、接触片の尖った端縁部をそれぞれ対応する芯の絶縁部に差し込むと、芯の導体と電気的に接続することができる。
【０００９】
接触片は通常、三叉に形成される。該三叉の接触片をケーブルの絶縁部に差し込み、コネクタと、ケーブルの導体との電気的な接続が完成する。
【００１０】
インターネット用のコネクタは、先にケーブルの両端縁部の外側面を適宜な長さでむいておく。
【００１１】
四つの芯をそれぞればらばらにして分線パッド内に穿設し、それぞれのケーブルを引き伸ばして切断し、整える。
【００１２】
コネクタの配置ユニットを配線パッドに対応する孔に穿設し、適宜な位置にケーブルを設けた配線パッドをコネクタに穿設する。
【００１３】
機械でコネクタ上の金属接触片を押し圧して芯の絶縁部に差し込むと、コネクタとケーブルの導体とが電気的に接続される。
【００１４】
従来の工程では、ケーブルを接続する場合、ケーブル内の緑、白／緑、青、白／青の二組とが交差する。
【００１５】
また、分線パッドと配線パッドとを使用するため、ケーブルの両端の外側面をむく長さが長くなり、ケーブルの線のよりの強度が大幅に損なわれ、ケーブルの特性も損なわれ、ケーブルに隣接する端縁部の接続に大きな影響を与える。
【００１６】
また、コネクタとケーブルの抵抗特性とが一致しないため、インターネットケーブルのエコーの消耗が大きくなり、情報を伝送する品質が低下し、製品の不良品率が上昇する。
【発明の概要】
【発明が解決しようとする課題】
【００１７】
この発明は、接続時に芯が交差することを防ぐことができるコネクタを提供することを課題とする。
【課題を解決するための手段】
【００１８】
そこで本発明者は、本体と、ゴム芯とを含んでなり、
該本体は、下表面母座内の電気接触ヘッドを挿入するために供する八つの挿入溝を平行に設けてなり、
該ゴム芯は、本体の内部に固定し、インターネットケーブルの八本の芯にそれぞれ対応するはんだ接続式の端子を含んでなり、該端子はゴム芯に挿設し、端子の第一端が端子と母座の電気接触ヘッドとを電気的に接続するために供する電気接触部であって、該電気接触部が一列に排列し、端子の第二端がインターネットケーブルの八本の芯をそれぞれ端子にはんだ接続するために供するはんだ接続部であって、
ゴム芯上には端子のはんだ接続部を穿設する貫通孔が設けられ、該貫通孔はゴム芯の前方側面から後方側面へ貫通し、芯の二つの端子のはんだ接続部が隣接して排列して設けられるコネクタによって課題を解決できる点に着眼し、係る知見に基づき本発明を完成させた。
以下、この発明について具体的に説明する。
【００１９】
請求項１に記載するコネクタは、本体と、ゴム芯とを含んでなり、
該本体は、下表面母座内の電気接触ヘッドを挿入するために供する八つの挿入溝を平行に設けてなり、
該ゴム芯は、本体の内部に固定し、インターネットケーブルの八本の芯にそれぞれ対応するはんだ接続式の端子を含んでなり、該端子はゴム芯に挿設し、端子の第一端が端子と母座の電気接触ヘッドとを電気的に接続するために供する電気接触部であって、該電気接触部が一列に排列し、端子の第二端がインターネットケーブルの八本の芯をそれぞれ端子にはんだ接続するために供するはんだ接続部であって、
ゴム芯上には端子のはんだ接続部を穿設する貫通孔が設けられ、該貫通孔はゴム芯の前方側面から後方側面へ貫通し、芯の二つの端子のはんだ接続部が隣接して排列して設けられる。    
【００２０】
請求項２に記載のコネクタは、請求項１における貫通孔が、縦向きに上下二列に、横向きに四列に排列し、端子のはんだ接続部はゴム芯の貫通孔に穿設した後、ゴム芯の後方部にケーブルの八本の芯が平行に排列し、対応する端子のはんだ接続部にはんだ接続して排列され、端子のはんだ接続部が二段四列に排列し、芯に設けられたどれか一つの端子のはんだ接続部を選択してゴム芯の二段の貫通孔の上段か、或いは下段に穿設する。
【００２１】
請求項３に記載のコネクタは、請求項２における端子が、Ｃ字を呈し、端子の電気接触部とはんだ接続部が平行に設けられ、端子のはんだ接続部が電気接触部を離れて設ける必要だけ端子の中部に湾曲部を設けてなる。
【００２２】
請求項４に記載のコネクタは、請求項３におけるゴム芯が、下表面に本体の挿入溝に対応する設置溝が設けられ、端子の電気接触部が該設置溝内に設けられ、
ゴム芯の前端面に下表面の設置溝に対応し、端子の中部を設けるために供する前方設置溝を設けてなり、前方設置溝が対応する設置溝に貫通して形成され、該前方設置溝が対応する貫通孔に貫通して形成される。
【００２３】
請求項５に記載のコネクタは、請求項４におけるゴム芯が、前端面の前方設置溝に長手方向の左から右へ第一前方設置溝、第二前方設置溝、第三前方設置溝、第四前方設置溝、第五前方設置溝、第六前方設置溝、第七前方設置溝、第八前方設置溝がそれぞれ排列して設けられ、第一前方設置溝の底部と第二前方設置溝底部とが連接し、第三前方設置溝の中部、底部がそれぞれ第四前方設置溝の中部、底部に連接し、第五前方設置溝の中部、底部がそれぞれ第六前方設置溝の中部、底部と連接し、第七前方設置溝の底部と第八前方設置溝の底部と連接する。
【００２４】
請求項６に記載のコネクタは、請求項５におけるコネクタが、内金属鉄ケースと、外金属鉄ケースとを含んでなり、
該内金属鉄ケースの前端部がゴム芯の外側に接続され、内金属鉄ケースの後端がリベット接続加工を通してインターネットケーブルを内金属鉄ケース上の後方に固定し、内金属が本体内に組み合わせて固定され、
外金属の前端部は本体に固定され、外金属鉄ケースが本体後端部に連接され、
端子の電気接触部は挿入溝内に挿設するか、或いは挿入溝以外の位置に平行に設けられ、
本体の上表面には、弾性片が設けられる。該弾性片の両側にはそれぞれインターネットケーブル用のコネクタを母座から外すために供するフックを成型する。
【００２５】
請求項７に記載のコネクタは、請求項１から６におけるコネクタが、インターネットケーブルの第一端と第二端にそれぞれ接続し、
該インターネットケーブルの第一端に接続するコネクタは、第一コネクタであって、第二端に接続するコネクタは第二コネクタで、
第一コネクタをインターネット接続協定に基づいて接続する場合、交差するインターネットケーブルの芯が二つの端子のはんだ接続部が副コネクタ上の互いに対応する二つの端子のはんだ接続部に対応して配列する位置がそれぞれ上下に対応して設けられる。
【００２６】
請求項８に記載のコネクタは、請求項７における第一コネクタが、インターネット接続協定に基づいて接続する場合、交差したインターネットケーブルの芯の端子のはんだ接続部をゴム芯の二段の貫通孔の内、上段の貫通孔に穿設し、第二コネクタをインターネット接続協定に基づいて接続する場合、交差するインターネットコードの芯に対する端子のはんだ接続部をゴム芯に設けられた二段の貫通孔の内、同一列の下段の貫通孔に穿設する。
【００２７】
請求項９に記載のコネクタは、請求項７及び８におけるインターネットケーブルの第一端が、第一コネクタに接続し、第二端が第二コネクタに接続する。
【００２８】
請求項１０に記載のコネクタは、第一コネクタに設けられた八つの端子が、電気接触部に基づいて左から右へ第一、第二、第三、第四、第五、第六、第七、第八端子の順に配列し、第一コネクタの第二、第四、第五、第七端子のはんだ接続部が左から右へゴム芯の二段の貫通孔の上段の貫通孔に穿設し、第一コネクタの第一、第三、第六、第八端子のはんだ接続部が左から右へゴム芯の二段の貫通孔の下段の貫通孔に穿設し、
第一コネクタの第一、第二、第三、第四、第五、第六、第七、第八端子をそれぞれインターネットケーブルの第一端のオレンジ・白色、オレンジ色、緑・白色、青色、青・白色、緑色、茶・白色、茶色の芯に対応して接続し、
第二コネクタの八つの端子を電気接触部の左から右へ第一、第二、第三、第四、第五、第六、第七、第八の順に配列し、第二、第三、第六、第七端子のはんだ接続部をゴム芯の二段の貫通孔の内の上段の貫通孔に左から右へ順に穿設し、第二コネクタの第一、第四、第五、第八端子のはんだ接続部を左から右へゴム芯の二段の貫通孔の下段の貫通孔に接続し、
第二コネクタの第一、第二、第三、第四、第五、第六、第七、第八端子をそれぞれインターネットケーブルの第二端のオレンジ・白色、オレンジ色、緑・白色、青色、青・白色、緑色、茶・白色、茶色の芯に対応して接続する。
【発明の効果】
【００２９】
この発明のコネクタは、ケーブルの様々な特性を維持して情報の伝送の品質を高めるという効果を有する。
【図面の簡単な説明】
【００３０】
【図１】この発明のコネクタを示した斜視図である。
【図２】この発明のコネクタを底面から見た状態を示した斜視図である。
【図３】この発明のコネクタを示した分解図である。
【図４】この発明のコネクタのゴム芯を示した斜視図である。
【図５】この発明のコネクタのゴム芯を別の角度から見た状態を示した斜視図である。
【図６】図５に開示するコネクタのゴム芯を示した側面図である。
【図７】図５に開示するコネクタのゴム芯を別の側面から見た状態を示した側面図である。
【図８】この発明のコネクタのゴム芯に端子を接続した後の状態を示した斜視図である。
【図９】この発明のコネクタのゴム芯に端子を接続した後の状態を別の角度から見た状態を示した斜視図である。
【図１０】この発明のコネクタの端子を示した斜視図である。
【図１１】この発明のコネクタの端子を別の角度から見た状態を示した斜視図である。
【図１２】この発明のコネクタの他の実施形態を示した斜視図である。
【図１３】この発明のコネクタの他の実施形態を示した分解図である。
【図１４】この発明のコネクタの他の実施形態のゴム芯に端子を接続した後の状態を示した斜視図である。
【図１５】この発明のコネクタの他の実施形態のゴム芯に端子を接続した後を別の角度から見た状態を示した斜視図である。
【図１６】この発明のコネクタの他の実施形態の端子を示した斜視図である。
【図１７】この発明のコネクタの他の実施形態の端子を別の角度から見た状態を示した斜視図である。
【発明を実施するための形態】
【００３１】
この発明は、接続時に芯が交差することを防ぐことができるコネクタであって、本体と、ゴム芯とを含んでなり、
該本体は、下表面母座内の電気接触ヘッドを挿入するために供する八つの挿入溝を平行に設けてなり、
該ゴム芯は、本体の内部に固定し、インターネットケーブルの八本の芯にそれぞれ対応するはんだ接続式の端子を含んでなり、該端子はゴム芯に挿設し、端子の第一端が端子と母座の電気接触ヘッドとを電気的に接続するために供する電気接触部であって、該電気接触部が一列に排列し、端子の第二端がインターネットケーブルの八本の芯をそれぞれ端子にはんだ接続するために供するはんだ接続部であって、
ゴム芯上には端子のはんだ接続部を穿設する貫通孔が設けられ、該貫通孔はゴム芯の前方側面から後方側面へ貫通し、芯の二つの端子のはんだ接続部が隣接して排列して設けられる。
係る構成のコネクタについて、その構造と特徴を詳述するために具体的な実施例を挙げ、以下に説明する。
【実施例】
【００３２】
図１から図１１は、この発明のコネクタを示したものである。
【００３３】
図面によれば、コネクタは本体１と、ゴム芯２とを含んでなる。
【００３４】
本体１は、下表面に八つの挿入溝３を平行に設けてなる。該挿入溝３は、母座内の電気接触ヘッドを挿入するために供する。
【００３５】
ゴム芯２は、本体１の内部に固定する。
【００３６】
この発明は八つのはんだ接続式の端子４を含んでなる。該端子４は、それぞれインターネットケーブルの八つの芯に対応する。
【００３７】
該端子４はゴム芯２の中に挿設する。該端子４の第一端は、電気接触部５であって、端子の電気接触部５は一列に排列する。
【００３８】
電気接触部５は、端子４と母座内の電気接触ヘッドとを電気的に接続するために供する。
【００３９】
端子４の第二端ははんだ接続部６であって、該はんだ接続部６はインターネットケーブルの芯をそれぞれ対応する端子４にはんだ接続するために供する。
【００４０】
端子４は、一体に押し圧成型され、端子４の構造が簡単であるため、加工、生産し易く、生産コストも低く抑えることができる。
【００４１】
ゴム芯２は、側面に貫通孔７を設けてなる。該貫通孔７は、ゴム芯２の前端面と後端面とを貫通して形成される。
【００４２】
該貫通孔７は、対応する端子４のはんだ接続部６を穿設するために供する。同一の芯に対応するはんだ接続式の二つの端子４のはんだ接続部６はいずれも隣接して排列する。
【００４３】
インターネットケーブル内の芯はよりに合わせていずれも隣接するはんだ接続部６にはんだ接続されるため、インターネットケーブルの芯を接続する場合に交差することがなく、接続時に芯が交差する問題を解決することができる。
【００４４】
貫通孔７は縦方向、上下二段に、横向きで四列に排列して設けられる。
【００４５】
端子４のはんだ接続部６は、ゴム芯２の貫通孔７に穿設されると、ゴム芯２の背面に排列され、インターネットケーブルの八本の芯が平行に排列され、端子４のよりの構造が端子４のはんだ接続部６上の排列に対応してはんだ接続される。
【００４６】
よって、端子４のはんだ接続部６が、二段四列に排列される。
【００４７】
ゴム芯２上に設けるどれか一つの端子４のはんだ接続部６は、ゴム芯２の二段の貫通孔７の内、上方の一段目か、或いは下方の二段目の貫通孔７に穿設するかを選択することができる。
【００４８】
即ち、実際の需要に基づいて対応する端子４を選択し、端子４のはんだ接続部６はゴム芯２の二段の貫通孔７の上方の一段目の貫通孔７に穿設してもよく、下方の二段目の貫通孔７に穿設してもよい。
【００４９】
端子４はＣ字状を呈し、端子４の電気接触部５とはんだ接続部６が平行に設けられる。
【００５０】
端子４のはんだ接続部６は、電気接触部５と対向して離す必要があるだけ端子４の中部に湾曲部８を形成する。
【００５１】
端子４の電気接触部５は、同じ水準の高さに設けられ、はんだ接続部６と電気接触部５の距離が異なる端子４を生産して、端子４のはんだ接続部６をゴム芯２の二段の貫通孔７の内、上方の一段目の貫通孔７か、或いは下方の二段目の貫通孔７に穿設するかを選択する。
【００５２】
端子４の中部に湾曲部８を設けるため、端子４のはんだ接続部６を対応する貫通孔７に穿設することができる。
【００５３】
ゴム芯２の下表面である底面には本体１の挿入溝３に対応して設置溝９を設ける。
【００５４】
端子４の電気接触部５は、該設置溝９内に設ける。
【００５５】
ゴム芯２の前端面である側面にはゴム芯２の下表面の設置溝９に対応して端子４の中部を設けるために供する前方設置溝１０が設けられる。
【００５６】
前方設置溝１０は、対応する設置溝９に貫通して形成される。また、前方設置溝１０は対応する貫通孔７とも貫通して形成される。
【００５７】
ゴム芯２の前端面の前方設置溝１０は、長手方向の左から右へ第一前方設置溝、第二前方設置溝、第三前方設置溝、第四前方設置溝、第五前方設置溝、第六前方設置溝、第七前方設置溝、第八前方設置溝がそれぞれ排列して設けられる。
【００５８】
第一前方設置溝の底部と第二前方設置溝底部とが連接し、第三前方設置溝の中部、底部がそれぞれ第四前方設置溝の中部、底部に連接し、第五前方設置溝の中部、底部がそれぞれ第六前方設置溝の中部、底部とが連接し、第七前方設置溝の底部と第八前方設置溝の底部と連接する。
【００５９】
ゴム芯２の特殊な設計によりゴム芯２が、異なる形状の端子４に対応することができる。
【００６０】
よって、上述の異なる形状の端子４をいずれもゴム芯２上に組み合わせることができ、端子４のはんだ接続部６が対応する貫通孔７に挿設され、ゴム芯２が異なる定義のコネクタでも使用することができる。
【００６１】
コネクタは、内金属鉄ケース１１と外金属鉄ケース１２とを含んでなる。
【００６２】
内金属鉄ケース１１の前端部がゴム芯２の外側に接続され、内金属鉄ケース１１の後端がリベット接続加工を通してインターネットケーブルを内金属鉄ケース１１上の後方に固定する。
【００６３】
内金属鉄ケース１１が組み合わせて、本体１内に固定して設けられる。
【００６４】
外金属鉄ケース１２の前端部は本体１に固定され、外金属鉄ケース１２が本体１後端部と連接される。
【００６５】
端子４の電気接触部５は挿入溝３内に挿設するか、或いは挿入溝３以外の位置に平行に設けられる。
【００６６】
本体１の上表面には、弾性片１３が設けられる。該弾性片１３の両側にはそれぞれインターネットケーブル用のコネクタを母座から外すために供するフックを成型する。
【００６７】
インターネット接続の協定に従って、この発明のコネクタをインターネット用のケーブルに接続する場合、ケーブル内の芯が交差することがなく、それぞれの芯のシグナルが互いに干渉することを防ぐ。
【００６８】
シグナルの抵抗干渉能力が強いため、インターネットケーブルのシグナルを伝送する能力を有効に高めることができる。
【００６９】
また、インターネットケーブルの芯は、端子のはんだ接続部上に直接、はんだ接続をする。
【００７０】
よって、インターネットケーブルの芯、配線ゴム芯などの部材に穿設させる必要がない。
【００７１】
インターネットケーブルの芯の外側の皮をむく長さを非常に短くすることができる。
【００７２】
この発明はインターネットケーブルに具えられているよりを損なう程度が非常に小さく、ケーブルの抵抗特性を大幅に保障し、隣接する漏話制御の良し悪しを大幅に保障し、コネクタの抵抗特性と、芯の抵抗特性とを同じにして、ケーブルのエコーの消耗を低減し、情報の伝送の質を高め、不良品率を抑える。
【００７３】
図１２から図１７は、この発明のコネクタの他の実施形態を示したものである。
【００７４】
図面によれば、この発明のコネクタは、前述の実施形態と同様に一対で使用するコネクタである。
【００７５】
コネクタの構造は前述と略同じであるため、ここでは詳述しない。異なる部分は、はんだ接続式の端子４のはんだ接続部６の排列である。
【００７６】
この実施形態では、インターネット接続協定に基づいてケーブルを接続する場合、交差するインターネットケーブルの芯に対する端子４のはんだ接続部６が前述の実施形態の端子４のはんだ接続部６の排列位置と上下逆さに対応して設けられる。
【００７７】
図１から図１７は、この考案のその他の実施形態を示したものである。
【００７８】
図面によれば、コネクタは、前述の二つの実施形態を含んでなり、該二つのコネクタはそれぞれ、インターネットケーブルの第一端と第二端を接続するために供する。
【００７９】
インターネットケーブルの第一端に接続するコネクタは、第一コネクタであって、第二端に接続するコネクタは第二コネクタである。
【００８０】
第一コネクタは、インターネット接続協定に基づいてケーブルを接続する場合、交差するインターネットケーブルの芯の二つの端子４のはんだ接続部６が第二コネクタの端子４のはんだ接続部６と上下逆さの関係で対応する。
【００８１】
第一コネクタは、インターネット接続協定に基づいてケーブルを接続する場合、交差するケーブルの芯の端子４のはんだ接続部６がゴム芯２の二段の貫通孔７の内、上段の貫通孔７に穿設される。
【００８２】
第二コネクタは、インターネット接続協定に基づいてケーブルを接続する場合、交差するケーブルの芯の端子４のはんだ接続部６がゴム芯２の二段の貫通孔７の下段の貫通孔７に穿設される。
【００８３】
インターネット接続協定に基づいて、この発明のコネクタをケーブルに接続する場合、ケーブルの芯がいずれも交差することがなく、それぞれの芯の信号を干渉することを防ぐことができる。
【００８４】
信号の不干渉力が強く、信号の伝送力を有効に高めることができる。
【００８５】
また、ケーブルの芯は端子のはんだ接続部上に直接はんだ接続されるため、芯をゴムパッド、配線パッドなどの部材に穿設する必要がない。
【００８６】
よって、芯の外側をむく長さも非常に短くすることができ、ケーブルのより損傷の程度を非常に小さくすることができ、抵抗特性及び漏話制御の良し悪しを最大限保障することができる。
【００８７】
コネクタの抵抗特性と芯の抵抗特性とが一致し、インターネットのエコーの消耗を抑え、データの伝送の品質を高め、製品の不良品率を抑えることができる。
【００８８】
図１から図１７は、この発明のインターネットケーブルを示したものである。
【００８９】
図面によれば、インターネットケーブルは、ワイヤケーブルと、前述の実施形態に開示するコネクタユニットと、ワイヤケーブルの第一端に接続する第一コネクタと、第二端に接続する第二コネクタとを含んでなる。
【００９０】
第一コネクタ上の八つの端子４は、電気接触部５が左から右へそれぞれ第一端子、第二端子、第三端子、第四端子、第五端子、第六端子、第七端子、第八端子の順に排列して設けられる。
【００９１】
第一コネクタの第二端子、第四端子、第五端子、第七端子のはんだ接続部６は、左から右にゴム芯２の二段の貫通孔７の上段の貫通孔７に穿設される。
【００９２】
第一コネクタの第一端子、第三端子、第六端子、第八端子のはんだ接続部６は、左から右にゴム芯２の二段の貫通孔７の下段の貫通孔７に穿設される。
【００９３】
第一コネクタの第一端子、第二端子、第三端子、第四端子、第五端子、第六端子、第七端子、第八端子はそれぞれ、レインターネットケーブルの第一端のオレンジ・白色芯、オレンジ色芯、緑・白色芯、青色芯、青・白色芯、緑色芯、茶・白色芯、茶色芯に接続する。
【００９４】
第二コネクタの八つの端子４の電気接触部５は、左から右へそれぞれ第一端子、第二端子、第三端子、第四端子、第五端子、第六端子、第七端子、第八端子の順に排列して設けられる。
【００９５】
第二コネクタの第二端子、第三端子、第六端子、第七端子のはんだ接続部６は、左から右にゴム芯２の二段の貫通孔７の上段の貫通孔７に穿設される。
【００９６】
第二コネクタの第一端子、第四端子、第五端子、第八端子のはんだ接続部６は、左から右にゴム芯２の二段の貫通孔７の下段の貫通孔７に穿設される。
【００９７】
第二コネクタの第一端子、第二端子、第三端子、第四端子、第五端子、第六端子、第七端子、第八端子はそれぞれ、レインターネットケーブルの第一端のオレンジ・白色芯、オレンジ色芯、緑・白色芯、青色芯、青・白色芯、緑色芯、茶・白色芯、茶色芯に接続する。
【００９８】
この発明のインターネットケーブルの芯はいずれも交差することがなく、それぞれの芯の信号が互いに干渉されることを防ぐことができる。
【００９９】
信号の不干渉力が高く、信号の伝送力を有効に高めることができる。
【０１００】
また、ケーブルの芯は端子のはんだ接続部上に直接はんだ接続されるため、芯をゴムパッド、配線パッドなどの部材に穿設する必要がない。
【０１０１】
よって、芯の外側をむく長さも非常に短くすることができ、ケーブルのより損傷の程度を非常に小さくすることができ、抵抗特性及び漏話制御の良し悪しを最大限保障することができる。
【０１０２】
コネクタの抵抗特性と芯の抵抗特性とが一致し、インターネットのエコーの消耗を抑え、データの伝送の品質を高め、製品の不良品率を抑えることができる。
【０１０３】
さらに、この発明のインターネットケーブルは構造が簡単で、加工、生産がし易く、コストを抑えることができる構造からなる。
【０１０４】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【符号の説明】
【０１０５】
１      本体
１０    前方設置溝
１１    内金属鉄ケース
１２    外金属鉄ケース
１３    弾性片
２      ゴム芯
３      挿入溝
４      端子
５      電気接触部
６      はんだ接続部
７      貫通孔
８      湾曲部
９      設置溝
【図１】
2013093098.tif 000003
【図２】
2013093098.tif 000004
【図３】
2013093098.tif 000005
【図４】
2013093098.tif 000006
【図５】
2013093098.tif 000007
【図６】
2013093098.tif 000008
【図７】
2013093098.tif 000009
【図８】
2013093098.tif 000010
【図９】
2013093098.tif 000011
【図１０】
2013093098.tif 000012
【図１１】
2013093098.tif 000013
【図１２】
2013093098.tif 000014
【図１３】
2013093098.tif 000015
【図１４】
2013093098.tif 000016
【図１５】
2013093098.tif 000017
【図１６】
2013093098.tif 000018
【図１７】
2013093098.tif 000019